(57)【特許請求の範囲】
【請求項１】
平板状の主体板を有する蓋本体と、
該蓋本体上に組み付けられ、透明あるいは半透明な平板状の被覆体と、を備え、
前記主体板と前記被覆体との間に形成された隙間に、フィルム体が収容され、
前記主体板及び前記被覆体のうち、少なくとも前記主体板には、前記隙間内で前記フィルム体の表面をスライド移動自在に支持する凹凸が配設されていることを特徴とする携帯容器の蓋体。
【請求項２】
前記フィルム体には模様が施されているとともに、前記主体板及び前記被覆体のうち少なくとも一方には模様が施されていることを特徴とする請求項１記載の携帯容器の蓋体。
【発明の詳細な説明】
【技術分野】
【０００１】
本発明は、携帯容器の蓋体に関する。
【背景技術】
【０００２】
コンパクト容器等の携帯容器として、例えば下記特許文献１に示されるように、蓋体に動きに富んだ装飾を施したものが知られている。
具体的に、この蓋体は、主体板を有する蓋本体と、蓋本体上に組み付けられた透明あるいは半透明な被覆体と、を備え、主体板と被覆体との間の隙間に、透明あるいは半透明なドットが施された固定フィルム及び可動フィルムが積層されている。そして、蓋体を開操作したり、携帯容器自体を傾けたりして、隙間内において可動フィルムが固定フィルムに対してスライドすることで、被覆体を通して視認できる模様が変化するようになっている。
【先行技術文献】
【特許文献】
【０００３】
【特許文献１】特開２０１０−２６０５９７号公報
【発明の概要】
【発明が解決しようとする課題】
【０００４】
しかしながら、上述した従来の携帯容器にあっては、主体板と被覆体との隙間内で、可動フィルムをスムーズにスライドさせることに対して改善の余地があった。
【０００５】
本発明は、このような事情に鑑みてなされたものであって、主体板と被覆体との隙間内で、フィルム体をスムーズにスライドさせることができる携帯容器の蓋体を提供することを目的とする。
【課題を解決するための手段】
【０００６】
上記課題を解決するために、本発明は以下の手段を提案している。
本発明に係る携帯容器の蓋体は、平板状の主体板を有する蓋本体と、該蓋本体上に組み付けられ、透明あるいは半透明な平板状の被覆体と、を備え、前記主体板と前記被覆体との間に形成された隙間に、フィルム体が収容され、前記主体板及び前記被覆体のうち、少なくとも前記主体板には、前記隙間内で前記フィルム体の表面をスライド移動自在に支持する凹凸が配設されていることを特徴とするとしている。
【０００７】
このような特徴により、例えば携帯容器の開操作時等において、蓋体が水平方向に対して傾いたときに、主体板と被覆体との間の隙間内でフィルム体がスライド移動することになる。これにより、蓋体の傾きに応じてフィルム体が被覆体及び蓋本体に対して相対的に移動するため、被覆体を通して蓋体を視認したときの蓋体の見た目が変化することになる。
特に、主体板及び被覆体のうち少なくとも一方に凹凸が形成され、これら凹凸がフィルム体をスライド移動自在に支持しているため、フィルム体が主体板や被覆体上を直接スライド移動する場合に比べてフィルム体の摺動抵抗を減少させることができる。これにより、主体板と被覆体との間の隙間内で、フィルム体をスムーズにスライドさせ、蓋体の見た目を滑らかに変化させることができる。
【０００８】
また、前記フィルム体には模様が施されているとともに、前記主体板及び前記被覆体のうち少なくとも一方には模様が施されていてもよい。
【０００９】
この場合、主体板と被覆体の少なくとも一方及びフィルム体にそれぞれ模様を施すことで、蓋体の傾きに応じてフィルム体の模様と、主体板及び被覆体の模様との位置がずれるため、蓋体の見た目の変化をより明確に表現できる。
【発明の効果】
【００１０】
本発明に係る携帯容器の蓋体によれば、主体板と被覆体との隙間内で、フィルム体をスムーズにスライドさせることができる。
【図面の簡単な説明】
【００１１】
【図１】実施形態における携帯容器の分解斜視図である。
【図２】図１のＡ−Ａ線に相当する断面図である。
【図３】他の実施形態における図２のＢ部に相当する拡大図である。
【発明を実施するための形態】
【００１２】
以下、図面を参照し、本発明の実施形態について説明する。なお、以下の説明では、本発明の携帯容器として、例えば化粧料等の内容物が収納される携帯用のコンパクト容器を例にして説明する。
【００１３】
図１に示すように、本実施形態の携帯容器１は、平面視矩形状の扁平容器であって、化粧料が充填された図示しない中皿や、塗布具を収納する容器本体２と、容器本体２にヒンジ軸３を介して開閉可能に連結された蓋体４と、ヒンジ軸３の反対側に配設され、蓋体４の容器本体２に対する閉状態を維持する係合部５と、を備えている。
なお、本実施形態では、容器本体２から見て蓋体４側を「上」とし、その反対側を「下」とする。また、容器本体２から見てヒンジ軸３側を「後」とし、その反対側（係合部５側）を「前」とする。
【００１４】
容器本体２は、上方に向けて開放された箱型形状のものであり、その内側に上述した中皿や、塗布具がそれぞれ収納されるようになっている。
【００１５】
図１，２に示すように、蓋体４は、平板状の主体板１２を有する蓋本体１１と、蓋本体１１上に組み付けられ、透明あるいは半透明な平板状の被覆体１３と、を備えている。
主体板１２は、平面視において容器本体２と同形同大の矩形状に形成され、閉状態で容器本体２に対して上下方向に対向している。
【００１６】
主体板１２の外周縁には、主体板１２を外側から囲繞する矩形筒状の周壁部１５が連設されている。周壁部１５は、主体板１２に対して上下方向に突出するように形成されている。したがって、周壁部１５の内側は、上方に向けて開放された上側凹部２１と、下方に向けて開放された下側凹部２２と、が主体板１２を間に挟んで上下方向に区画されている。
【００１７】
図１に示すように、周壁部１５のうち、後方に位置する後壁部１５ａの下部は、上述した容器本体２のうち、後方に位置する後壁部２ａにヒンジ軸３を介して連結されている。ヒンジ軸３は、水平方向のうち、前後方向に直交する方向（以下、横方向という）を軸方向としており、これにより、蓋体４は、容器本体２に対してヒンジ軸３の軸線回りに回動可能に支持されている。
【００１８】
図１，２に示すように、蓋本体１１の上側凹部２１内において、主体板１２の上面と周壁部１５との境界部分には、主体板１２に対して上方に向けて突出する段部２３が形成されている。段部２３は、周壁部１５のうち、横方向の両側に位置する側壁部１５ｂの内周面に連設された状態で、側壁部１５ｂの全長に亘って形成されている。段部２３の上面は、側壁部１５ｂの上端縁よりも低くなっている。
また、主体板１２のうち、段部２３に対して横方向に沿う内側に位置する部分には、上方に向けて突出する一対の第１支持突部（凹凸）２５が形成されている。これら第１支持突部２５は、断面視で半円状に形成され、前後方向に沿って主体板１２の全体に亘って延設されている。なお、蓋本体１１の下側凹部２２内において、主体板１２の下面には、図示しない鏡体が接合される。
【００１９】
上述した被覆体１３は、平面視矩形状の板材であり、外形が周壁部１５の外径よりも小さくなっている。そして、被覆体１３は、厚さ方向を上下方向として蓋本体１１の上側凹部２１内に収容された状態で、外周部分が上述した段部２３に下方から支持されている。したがって、被覆体１３の下面と、主体板１２の上面と、の間には隙間Ｓが形成されている。なお、本実施形態の被覆体１３には、例えば横方向を長手方向とするストライプ状の模様が印刷されている。
【００２０】
また、被覆体１３のうち、横方向に沿う両側に位置する部分には、下方に向けて突出する一対の第２支持突部（凹凸）２６が形成されている。これら第２支持突部２６は、上述した主体板１２側の第１支持突部２５と同様に、断面視で半円状に形成され、前後方向に沿って被覆体１３の全体に亘って延設されている。また、各第２支持突部２６は、上述した各第１支持突部２５にそれぞれ上下方向で間隔をあけた状態で対向して配設されている。
【００２１】
ここで、主体板１２と被覆体１３との間に形成された隙間Ｓには、フィルム体３１が収容されている。このフィルム体３１は、平面視矩形状に形成されるとともに、外形が被覆体１３よりも小さくなっている。フィルム体３１は、上面または下面のうち横方向に沿う両側に位置する部分が、上述した第１支持突部２５または第２支持突部２６に支持されている。そして、フィルム体３１は、隙間Ｓ内において、第１支持突部２５または第２支持突部２６上を水平方向に沿ってスライド移動自在に配設されている。なお、本実施形態のフィルム体３１は、透明または半透明の素材からなり、水平方向のうち前後方向及び横方向に交差する方向を長手方向とするストライプ状の模様が印刷されている。
【００２２】
また、図１に示すように、上述した係合部５は、容器本体２のうち前方に位置する前壁部２ｂの凹部３２内に装着された操作片３３と、蓋本体１１の周壁部１５のうち、前側に位置する前壁部１５ｃ、及び容器本体２の前壁部２ｂにそれぞれ形成され、互いに係合可能な図示しない係合片と、を備えている。そして、携帯容器１では、各係合片が係合されることで、蓋体４の閉状態が保持されるように構成されている。また、操作片３３は後方に向けて押し込み操作可能に構成され、これにより、係合片同士の係合を解除できるように構成されている。
【００２３】
このような携帯容器１においては、図１に示すように蓋体４を閉状態に保持して、保管したり携帯したりする。
一方、携帯容器１を使用する場合には、操作片３３の押し込み操作により係合片同士の係合を解除して、蓋体４をヒンジ軸３回りに回動させる。これにより、容器本体２が開放されることで、容器本体２内の中皿や塗布具が使用可能となる。
【００２４】
ここで、本実施形態によれば、上述した開操作時等において、蓋体４が水平方向に対して傾くことで、主体板１２と被覆体１３との間の隙間Ｓ内でフィルム体３１がスライド移動することになる。これにより、蓋体４の傾きに応じてフィルム体３１が被覆体１３及び蓋本体１１に対して相対的に移動するため、被覆体１３を通して蓋体４を視認したときの蓋体４の見た目が変化することになる。
特に、本実施形態では、主体板１２及び被覆体１３にそれぞれ支持突部２５，２６が形成され、これら支持突部２５，２６がフィルム体３１をスライド移動自在に支持しているため、フィルム体３１が主体板１２や被覆体１３上を直接スライド移動する場合に比べてフィルム体３１の摺動抵抗を減少させることができる。これにより、主体板１２と被覆体１３との間の隙間Ｓ内で、フィルム体３１をスムーズにスライドさせ、蓋体４の見た目を滑らかに変化させることができる。
【００２５】
しかも、本実施形態では、被覆体１３及びフィルム体３１にそれぞれストライプ状の模様を施すことで、被覆体１３の模様とフィルム体３１の模様との位置が蓋体４の傾きに応じてずれるため、動きのあるモアレ模様を発生させることができる。そのため、蓋体４の見た目の変化をより明確に表現できる。
【００２６】
以上、本発明の実施形態について図面を参照して詳述したが、具体的な構成はこの実施形態に限られるものではなく、本発明の要旨を逸脱しない範囲の設計変更等も含まれる。
【００２７】
例えば、上述した実施形態では、ヒンジ軸３を介して容器本体２と蓋体４とを回動可能に連結した場合について説明したが、これに限らず、容器本体２に蓋体４が開閉可能であれば構わない。
また、上述した実施形態では、本発明の携帯容器の蓋体をコンパクト容器に適用した場合について説明したが、これに限らず、例えば、携帯電話や筆箱等の蓋付き携帯容器にも適用することが可能である。
【００２８】
さらに、携帯容器１自体を傾けたり、振ったりして、隙間Ｓ内でフィルム体３１をスライド移動させても構わない。
また、例えば操作片３３の押し込み操作に連動してフィルム体３１が移動する構成としても構わない。
【００２９】
また、上述した実施形態では、被覆体１３とフィルム体３１に模様を施した場合について説明したが、主体板１２及び被覆体１３のうち、少なくとも一方と、フィルム体３１と、に模様を施していれば構わない。さらに、上述した構成に限らず、主体板１２、被覆体１３及びフィルム体３１のうち何れか一方のみに模様を施しても構わない。さらに、模様が施されていない被覆体１３及びフィルム体３１を用いることも可能である。
また、被覆体１３やフィルム体３１に施される模様は、ストライプ状に限らず、ドット等、適宜変更が可能である。
さらに、上述した実施形態では、印刷により模様を施す場合について説明したが、これに限らず、被覆体１３やフィルム体３１自体に凹凸等により模様を施しても構わない。
【００３０】
また、上述した実施形態では、主体板１２及び被覆体１３の双方に支持突部２５，２６を形成した場合について説明したが、これに限らず、主体板１２及び被覆体１３のうち何れか一方に凹凸（凹部または突部）が形成されていれば構わない。
さらに、上述した実施形態では、主体板１２及び被覆体１３の横方向に沿う両側に前後方向に延在する支持突部２５，２６を形成した場合について説明したが、凹凸の形成位置は、主体板１２及び被覆体１３の面内の任意の位置に設定することが可能である。また、凹凸は、間欠的に形成しても構わない。
例えば、図３に示すように、主体板１２の上面にシボ加工を施し、主体板１２の上面全体に亘って凹凸４１を形成しても構わない。
【００３１】
また、上述した実施形態では、隙間Ｓ内にフィルム体３１を１枚収容した構成について説明したが、これに限らず、複数枚積層しても構わない。
さらに、フィルム体３１は、透明（あるいは半透明）材料に限られない。
【００３２】
その他、本発明の趣旨を逸脱しない範囲で、上述した実施形態における構成要素を周知の構成要素に置き換えることは適宜可能であり、また、上述した変形例を適宜組み合わせてもよい。
【符号の説明】
【００３３】
１…携帯容器
２…容器本体
４…蓋体
１１…蓋本体
１２…  主体板
１３…  被覆体
２５…第１支持突部（凹凸）
２６…第２支持突部（凹凸）
３１…フィルム体
４１…凹凸
Ｓ…隙間
【図１】
0005933313.tif 000002
【図２】
0005933313.tif 000003
【図３】
0005933313.tif 000004